(57)【要約】【課題】  継続的に振動を受けたり衝撃を受けたりした場合でもナットの緩みを確実に防止するための緩み防止具を提供する。【解決手段】  本考案は、ボルトとナットによって被締結部材を締付け固定する際に使用されるナットの緩み防止具において、ボルトの雄ねじ部に螺合され、ナットの上面に当接して装着されるコイルバネを備えていること、前記コイルバネは弾性変形することによって、半径方向に拡張しながらねじ溝に係止し得る内径で形成されていること、ボルトの軸方向から挿入されるリング材は、リング材内面がコイルバネの外周と接するように取り付けられること、前記リング材は、上面と下面で直径が異なり外面が傾斜した円筒状で形成されていることを特徴とするものである。【選択図】図６
0003128915.tif 000002
【実用新案登録請求の範囲】
【請求項１】
ボルトとナットによって被締結部材を締付け固定する際に使用されるナットの緩み防止具において、
ボルトの雄ねじ部に螺合され、ナットの上面に当接して装着されるコイルバネを備えていること、
前記コイルバネは弾性変形することによって、半径方向に拡張しながらねじ溝に係止し得る内径で形成されていること、
ボルトの軸方向から挿入されるリング材は、リング材内面がコイルバネの外周と接するように取り付けられること、
前記リング材は、上面と下面で直径が異なり外面が傾斜した円筒状で形成されていること、を特徴とするナットの緩み防止具。
【考案の詳細な説明】
【技術分野】
【０００１】  本考案は、ボルトに螺合されるナットの緩み防止具に関するものである。
【背景技術】
【０００２】  構造物の組立てには、ボルト・ナットによる締付け方法が一般的に使用されており、従来より、ナットの緩みを防止する手段として様々な方法が提案されている。【０００３】  例えば、コイルバネなどの線材をうず巻き状に形成した環状のナット緩み防止具をボルトの雄ねじ部に螺合させ、ナットが戻り方向に回転することを規制することによって、ナットの緩みを防止するナット緩み防止具が提案されている（例えば、特許文献１〜２。）。【０００４】  また、ボルトのねじ溝と嵌合する内側コイルバネと、前記ボルトに装着されたナットに係合する外側コイルバネとを備えたナット緩み防止具も提案されている（例えば、特許文献３。）。【０００５】  さらに、コイルバネをボルトのねじ溝に嵌まり込むように装着し、コイルバネの外周に接するようにキャップで覆うナット緩み防止具も提案されている。前記コイルバネの外周を覆うキャップは、円筒状に形成されていて、ボルトの軸方向から装着するものやコイルバネの側面から装着するものが提案されている（例えば、特許文献４。）。【０００６】
【特許文献１】特開昭４７−２９７４３号公報
【特許文献２】特開平９−１４４７３９号公報
【特許文献３】国際公開第２００３／０９５８５０号パンフレット
【特許文献４】特開２００１−５９５１４号公報
【考案の開示】
【考案が解決しようとする課題】
【０００７】  しかしながら、コイルバネなどの線材をうず巻き状に形成した環状のナット緩み防止具をボルトの雄ねじ部に螺合させ、ナットが戻り方向に回転することを規制することによって、ナットの緩みを防止する方法では、ナットの戻り方向への回転を規制するのみであり、コイルバネの素線の傾斜角とねじ山の傾斜角の間でそれほど大きな差異がないため、継続的に振動を受けたり衝撃を受けたりした場合にはコイルバネが緩んでしまい、それに伴ってナットも緩んでしまうという問題があった。【０００８】  また、ボルトのねじ溝と嵌合する内側コイルバネと、前記ボルトに装着されたナットに係合する外側コイルバネとを備えるナット緩み防止具を用いる場合では、コイルバネの形状が複雑となり、コイルバネの製作に手間とコストがかかるという問題があった。【０００９】  さらに、円筒状に形成されたキャップをコイルバネの外周に接するように装着する方法では、キャップの上面と下面の直径が同じ円筒状であるため、パイプレンチなどの工具で容易にキャップの外面を把持することができ、強力な力を加えることで、キャップが取り外されるおそれがあった。
【課題を解決するための手段】
【００１０】  前述の問題を有利に解決するために、本考案のナットの緩み防止具は、ボルトとナットによって被締結部材を締付け固定する際に使用されるナットの緩み防止具において、ボルトの雄ねじ部に螺合され、ナットの上面に当接して装着されるコイルバネを備えていること、前記コイルバネは弾性変形することによって、半径方向に拡張しながらねじ溝に係止し得る内径で形成されていること、ボルトの軸方向から挿入されるリング材は、リング材内面がコイルバネの外周と接するように取り付けられること、前記リング材は、上面と下面で直径が異なり外面が傾斜した円筒状で形成されていることを特徴としている。
【考案の効果】
【００１１】  本考案のナットの緩み防止具によれば、コイルバネは、弾性変形することによって、半径方向に拡張しながらねじ溝に係止し得る内径をもち、コイルバネの素線がボルトのネジ溝に嵌り込む構造になっているため、コイルバネの弾性力により、コイルバネはボルトの軸中心方向に押し付けられ、素線とねじ溝の接触部で強い摩擦力が生じ、素線がねじ溝に強固に固定され、ナットの戻り方向の回転を規制することができる。【００１２】  また、リング材でコイルバネの外周を覆い、ねじ溝に嵌り込むコイルバネの素線の浮き上がりを規制することで、コイルバネはナットの戻り方向に回転することができず、コイルバネのみを装着した場合と比べてより確実に固定される。従って、継続的に振動を受けたり衝撃を受けたりした場合でもナットの緩みを防止することができる。【００１３】  また、リング材は、上面と下面で直径が異なり外面が傾斜した円筒状で形成されているため、パイプレンチなどの工具で把持することができず、強力な力を加えて強引に取り外そうとしても取り外すことができない。【００１４】  さらに、コイルバネおよびリング材の形状が複雑でないため製作も容易である。
【考案を実施するための最良の形態】
【００１５】  本考案は、ボルト１とナット２によって被締結部材３を締付け固定する際に使用されるナット２の緩み防止具であって、ナット２の緩み防止具はコイルバネ４とリング材６とで構成されており、前記コイルバネ４は半径方向に拡張しながらねじ溝に係止し得る内径で形成され、前記リング材６は上面と下面で直径が異なり外面が傾斜した円筒状で形成されている。ナット２の緩み防止具の取付けは、コイルバネ４をボルト１の雄ねじ部に螺合させて、ナット２の上面に当接して装着し、リング材６をボルト１の軸方向から挿入して、リング材６内面がコイルバネ４の外周と接するように取り付けることで、ナット２の緩みを防止する。
【実施例】
【００１６】  以下、本考案を実施例に基づいて説明する。構造物の組立てには、ボルト１とナット２による締付け方法が一般的に用いられており、図１に示すように、部材３の通孔へボルト１を通し、ナット２を螺合すると、部材３はボルト１とナット２により締結される。この締結が終了すれば、コイルバネ４を先端部５からナット２を螺合したボルト１のねじ溝へねじ込み、先端部５がナット２に当接してそれ以上進まなくなるまで装着する。【００１７】  図２〜図３に示すように、前記コイルバネ４は、ボルト１の外径よりわずかに小さく、弾性変形することによって、半径方向に拡張しながらねじ溝に係止し得る内径でうず巻き状の環状に形成されている。【００１８】  コイルバネ４をボルト１のねじ溝に螺合させることによって、コイルバネ４の弾性力により、コイルバネ４はボルト１の軸中心に向かって押し付けられ、コイルバネ４の素線７とねじ溝の接触部で強い摩擦力が生じ、素線７はボルト１のねじ溝に強固に固定され、ナット２の戻り方向の回転が規制される。【００１９】  コイルバネ４の素線７は、ばね性を有する金属製のもので良いが、コイルバネ４は大気中に曝されるため、経年劣化による腐食を抑制するために、ステンレス製のものを採用する方が好ましい。また、コイルバネ４は巻数に問わず、緩み止めの効果が得られるため、コイルバネ４の巻数は装着するボルト１の長さに応じて設定されるのが好ましい。【００２０】  また、コイルバネ４の素線７の形状は、図示していないが、円形以外にも菱形あるいは多角形状のものを用いても構わない。さらに、コイルバネ４の素線７の表面に凹凸や粗面加工を施しておけば、ねじ溝と素線７の接触部の密着性が向上し、摩擦力が増加するため、さらに緩み難いものとなる。【００２１】  コイルバネ４の素線７は、図２に示すように先端部５が斜めに加工されているため、先端部５がボルト１とナット２の隙間に入り込みつつ螺合することにより、先端部５がストッパーとなってナット２が戻り方向に回転できなくなる。【００２２】  上述のようにコイルバネ４をボルト１のねじ溝に螺合させることで、かなりの緩み防止効果は得られるが、ナット２の戻り方向への回転を規制するのみであり、コイルバネ４の素線７の傾斜角とねじ山の傾斜角の間でそれほど大きな差異がないため、継続的に振動を受けたり衝撃を受けたりした場合にはコイルバネ４が緩んでしまうおそれがある。そこで、コイルバネ４の外周をリング材６で覆い、ねじ溝に嵌り込むコイルバネ４の素線７の浮き上がりを規制することで、継続的な戻り方向への回転力が付与されても回転する恐れのない、強い回転抵抗力を備える緩み防止具とする。【００２３】  装着されたコイルバネ４の外周を覆うようにリング材６を取り付けると、緩み防止具の装着はより確実になる。リング材６は図４〜８に示すように、上面と下面で直径が異なり外面が傾斜した円筒状で形成されており、ボルト１の軸方向から挿入し、リング材６上面をハンマー等で打撃して装着される。リング材６の内径は、ボルト１のねじ溝に装着した後のコイルバネ４の外径とほぼ同じであり、リング材６内面の下端部は、挿入し易いように面取り加工が施されている。【００２４】  装着されたリング材６の内面は、ボルト１のねじ溝に嵌り込んだコイルバネ４の素線７の溝から突出した部分を押え、素線７の浮き上がりを規制する。従って、コイルバネ４の素線７が浮き上がれないため、コイルバネ４はナット２の戻り方向に回転することができず、コイルバネ４のみを装着した場合と比べてより確実に固定される。【００２５】  また、リング材６は、上面と下面で直径が異なり外面が傾斜した円筒状で形成されているため、パイプレンチなどの工具でリング材６を把持することができず、強力な力を加えて強引に取り外そうとしても取り外すことができない。【００２６】  このように、本考案を適用したナットの緩み防止具では、コイルバネ４とリング材６のそれぞれの作用および効果により、継続的に振動を受けたり衝撃を受けたりした場合でもナット２の緩みを確実に防止することができる。また、コイルバネ４とリング材６の形状は複雑でないため製作も容易である。
【図面の簡単な説明】
【００２７】
【図１】  コイルバネの取付け状態図
【図２】  コイルバネの側面図
【図３】  コイルバネの上面図
【図４】  本考案の緩み防止具の取り付け状態側面図
【図５】  本考案の緩み防止具の取り付け状態上面図
【図６】  本考案の緩み防止具の取り付け状態のＡ−Ａ断面図
【図７】  リング材の上面図
【図８】  リング材のＢ−Ｂ断面図
【符号の説明】
【００２８】  １          ボルト
２          ナット
３          部材
４          コイルバネ
５          先端部
６          リング材
７          素線
【図１】
0003128915.tif 000003
【図２】
0003128915.tif 000004
【図３】
0003128915.tif 000005
【図４】
0003128915.tif 000006
【図５】
0003128915.tif 000007
【図６】
0003128915.tif 000008
【図７】
0003128915.tif 000009
【図８】
0003128915.tif 000010